(57)【要約】【課題】ドアの枠材との間に隙間が形成されない，ドアのシール構造を提供する。【解決手段】シール部材は，荷台を構成する荷箱の開口部を開閉するために，開口部の枠材に枢着されたドアの枠部の周囲に設けられ，開口部の枠材と密接するシール部材であって，該シール部材は，開口部の枠材の外側面の周囲部と接する弾性部片を有し，該弾性部片はさらに，ドアの枠部の周囲部と密接する突起部を有する。シール部材は，ドアの枠材との間に隙間を形成せず，したがって，雨水，塵などの集積，浸入を防止できる。【選択図】  図４
2005112205.tif 000002
【特許請求の範囲】
【請求項１】
荷台を構成する荷箱の開口部を開閉するために，開口部の枠材に枢着されたドアの枠部の周囲に設けられ，開口部の枠材と密接するシール部材であって，
該シール部材は，前記開口部の枠材の外側面の周囲部と接する弾性部片を有し，さらに，前記ドアの枠部の周囲部と密接する突起部を有することを特徴とするシール部材。
【請求項２】
請求項１に記載のシール部材であって，
前記突起部は前記弾性部片と一体であることを特徴とするシール部材。
【請求項３】
請求項１に記載のシール部材であって，
前記弾性部片の先端は，前記枠材との接着面積を増やすために膨出部を有することを特徴とするシール部材。
【発明の詳細な説明】
【技術分野】
【０００１】
本発明はトラックなどの荷台を構成する荷箱の開口部を開閉するドアのシール構造に関し，特に，ドアとの間への雨水，塵などの浸入が防止されるシール構造に関する。
【背景技術】
【０００２】
図１は，矩形の荷箱1の開口2を開閉するために，開口2の枠材4に観音扉式に枢着されたドア5（一方の扉は閉じ，他方の扉は開いている）を有する荷箱の斜視図である。ドア5と枠材4との間をシールするために，図２（図１の線A-A線に沿った断面を示す）に示されているように，ドアの周囲にそって設けられる枠部6にシール部材7が設置される。
【０００３】
シール部材7は弾性部材からなり，枠材6から外れないように，枠部6に設けられた，種々の突起6a，6b，6cに嵌合する断面をもつが，さらに，開口2の枠材4と密接してシールが形成されるように，弾性部片8aおよび8bが内側に湾曲しながら伸長している。弾性部片8aは，ドア枠部4の内側面の周囲部に，弾性部片8bはドア枠部4の外側面の周囲部に接し，シールを形成して雨水等の浸入を防いでいる。
【発明の開示】
【発明が解決しようとする課題】
【０００４】
上記のように，シール部材7は，ドア枠部と密接してシールを形成するが，一方でドアの開閉を妨げないようにするために，柔軟である必要がある。そのために，各弾性部片は，断面がより細長く，そしてより柔軟となるように，伸長している。しかし，シール部材6から伸長する弾性部片8bの拡大断面である図３（A）によく示されているように，ドアの枠部6と弾性部片8bとの間に隙間Gが生じるために，その隙間Gに雨水，塵などが集積，浸入する。ことに雨水はシール部材を伝わって中に浸入することがある。また，溜まった雨水，塵などは弾性部材で構成されているシール部材の劣化をまねく。
【０００５】
このような課題に対して，特許文献1に記載のように，さらにシール部材を覆うアウタ・ウエザーストリップが使用されるが，シールのための部材をさらに必要としている。
【特許文献１】実開平7-35398号公報  そこで，本発明は，かかる課題を解決するためになされたもので，ドアの枠材との間に隙間が形成されない，ドアのシール構造を提供することを目的する。
【０００６】
本発明の他の目的は，可撓性が確保される一方で，開口部の枠材との密接性を高めることのできる上記シール構造を提供する。
【０００７】
さらに，本発明の他の目的は，開口部の枠材の周囲部との密接面積を増やすことのできる，上記シール構造を提供することである。
【課題を解決するための手段】
【０００８】
本発明のシール部材は，荷台を構成する荷箱の開口部を開閉するために，開口部の枠材に枢着されたドアの枠部の周囲に設けられ，開口部の枠材と密接するシール部材であって，該シール部材は，開口部の枠材の外側面の周囲部と接する弾性部片を有し，該弾性部片はさらに，ドアの枠部の周囲部と密接する突起部を有することを特徴とする。ここで，突起部は，弾性部片と一体となっている。弾性部片の先端は，枠材との接着面積を増やすために膨出部を有することができる。
【発明の効果】
【０００９】
本発明のシール部材は，ドアの枠材との間に隙間を形成せず，したがって，雨水，塵などの集積，浸入を防止できる。
【００１０】
また，ドアを閉めると，シール部材と開口部の枠材と密接性が高くなるばかりか，ドアの枠部との接合も向上する。
【発明を実施するための最良の形態】
【００１１】
図４は，ドアの枠部に設けられ，本発明にしたがったシール部材の拡大断面図である。本発明のシール部材40は，従来技術と同様に，弾性部材からなり，枠材6から外れないように，枠部6に設けられた，種々の突起6a，6b，6cに嵌合する断面をもち，開口2の枠材4の周囲と密接してシールが形成されるように，弾性部片40aおよび40bが内側に湾曲しながら伸長している。また，従来技術同様に，ドアが閉じたとき，弾性部片40aは開口の枠材4の内側面の周囲部に，弾性部片40bは開口部の枠材4の外側面の周囲部に，それぞれ密接する。
【００１２】
本発明のシール部材の特徴は，図５（A）によく示されているが，シール部材40は，ほぼ斜め外側に伸長して，開口の枠材の外側面の周囲部と接する弾性部片40bを有し，この弾性部片40bは，ドアが閉じたとき，枠材4の外側面の周囲と接し，シールを形成する。さらに，シール部材40は，弾性部片40bと一体となって，ドアの枠材6の周囲を覆うように突出する突起部40cを有する。この弾性部片40bと突起部40cとで，シール部材40とドアの枠部の周囲との密接度が高められる。
【００１３】
弾性部片40bと突起部40cとを有するシール部材40がドアの枠部6に，ドアが閉じるときに接するが（図５（B）），そのとき，弾性部片40bの先端は撓むことができるとともに，突起部40cはドアの枠部の周囲へと押し付けられ，これにより，両者が接する面積が増え，より密接する。そのために，従来，ドアの枠部と，シール部材の間に形成されていた隙間がなく，雨水，塵は，シール部材の弾性部片40bから突起部40cへと流れる（移動する）。
【００１４】
このように，シール部材が，ドアが閉じたとき，開口の枠材の周囲と接する弾性部部片をもつだけではなく，さらに，ドアの枠部の周囲を覆って接するように突き出た突起をもつことで，ドアとシール部材との間の隙間の発生が防止され，これにより，雨水，塵などの集積，浸入が防止されることになる。
【００１５】
弾性部片の先端は，ドアが閉じたとき，開口の枠材の外側面の周囲とより多くの接触面積をもつように膨出部をもつことができる。このような膨出部は，ドアが閉じたときに，開口の枠材の周囲と接して変形し，これにより，突起部がよりドアの枠部に密接する。
【図面の簡単な説明】
【００１６】
【図１】図１は開口部を開閉するドアを有する荷台を構成する荷箱の斜視図である。
【図２】図２は，荷箱の開口を開閉するドアの枠部に取り付けられ，開口の周囲に接し，シールを形成する従来技術のシール部材の拡大断面図である。
【図３】図３（A）は図２のシール部材の部分拡大断面図であり，図３（B）は従来技術のシール部材において，シール部材とドアの枠部との間に，雨水が浸入する様子を示すシール部材の部分拡大断面図である。
【図４】図４はドアの枠部に取り付けられた，本発明のシール部材の断面図である。
【図５】図５（A）は図４の本発明のシール部材の部分拡大断面図であり，図５（B）は本発明のシール部材において，シール部材とドアの枠部とが密接して，雨水などの浸入が防止されているシール部材の部分拡大断面図である。
【符号の説明】
【００１７】
4    開口の枠材
6    ドアの枠部
6a    突起
40    シール部材
40b    弾性部片
40c    突起部
【図１】
2005112205.tif 000003
【図２】
2005112205.tif 000004
【図３】
2005112205.tif 000005
【図４】
2005112205.tif 000006
【図５】
2005112205.tif 000007